(57)【要約】【課題】本発明は、ＳＡＴＡコネクター及びこのＳＡＴＡコネクターを備えるコンピューターを提供する。【解決手段】本発明のＳＡＴＡコネクターは、コンピューターのハードディスクドライブに接続され、ハウジングと、ハウジングに位置し且つ第一金属端子〜第三金属端子が設置されたピンベースと、ピンベースの第一金属端子に接続される電源ピンと、ピンベースの第三金属端子に接続される接地ピンと、ピンベースの第二金属端子に接続されるスピンアップピンと、スピンアップピンを電源ピン又は接地ピンに選択的に接続する接続部と、を備え、スピンアップピンが受信する信号が低レベル信号である場合、コンピューターの起動時にハードディスクドライブをスタートアップせず、スピンアップピンが受信する信号が高いレベル信号である場合、コンピューターの起動時にハードディスクドライブをスタートアップする。【選択図】図３
2013045452.tif 000002
【特許請求の範囲】
【請求項１】
コンピューターのハードディスクドライブに接続されるＳＡＴＡコネクターであって、
ハウジングと、
前記ハウジングに位置し且つ第一金属端子〜第三金属端子が設置されたピンベースと、
前記ピンベースの第一金属端子に接続される電源ピンと、
前記ピンベースの第三金属端子に接続される接地ピンと、
前記ピンベースの第二金属端子に接続されるスピンアップピンと、
前記スピンアップピンを前記電源ピン又は前記接地ピンに選択的に接続する接続部と、
を備え、前記スピンアップピンが受信する信号が低レベル信号である場合、前記コンピューターの起動時に前記ハードディスクドライブをスタートアップせず、前記スピンアップピンが受信する信号が高いレベル信号である場合、前記コンピューターの起動時に前記ハードディスクドライブをスタートアップすることを特徴とするＳＡＴＡコネクター。
【請求項２】
前記接続部はジャンパーであることを特徴とする請求項１に記載のＳＡＴＡコネクター。
【請求項３】
ＳＡＴＡポートを有する複数のハードディスクドライブと、
複数の前記ハードディスクドライブのスタートアップ順序及び間隔時間を予め設定したファームウェアを格納するＢＩＯＳチップと、
複数の前記請求項１又は２に記載のＳＡＴＡコネクターと、
を備え、前記ＳＡＴＡコネクターの数と前記ハードディスクドライブの数は同じであり、各々の前記ＳＡＴＡコネクターは対応する前記ＳＡＴＡポートに接続されることを特徴とするコンピューター。
【発明の詳細な説明】
【技術分野】
【０００１】
本発明は、ＳＡＴＡコネクター及びこのＳＡＴＡコネクターを備えるコンピューターに関するものである。
【背景技術】
【０００２】
コンピューターのＳＡＴＡコネクターの１１番目のピンが使用されていない場合、ＳＡＴＡコネクターに接続されたハードディスクドライブは、コンピューターの起動時にスタートアップされる。ハードディスクドライブがスタートアップされる時に消耗する電気エネルギーは、ハードディスクドライブが正常に作動する時の３倍であるので、複数のハードディスクドライブが同時にスタートアップされる場合、電源の電力供給が不安定になる可能性がある。コンピューターの起動時に、データを読み書きすることを必要とするハードディスクドライブをスタートアップすることは必要であるが、コンピューターの起動時に、データを読み書きすることを必要としないハードディスクドライブをスタートアップすることは必要ではない。
【発明の概要】
【発明が解決しようとする課題】
【０００３】
本発明の目的は、前記課題を解決し、コンピューターの起動時にハードディスクドライブを選択的にスタートアップするか、又はコンピューターをパワーオンしてから所定の時間だけ遅延してからハードディスクドライブをスタートアップするＳＡＴＡコネクター及びこのＳＡＴＡコネクターを備えるコンピューターを提供することである。
【課題を解決するための手段】
【０００４】
本発明に係るＳＡＴＡコネクターは、コンピューターのハードディスクドライブに接続され、ハウジングと、前記ハウジングに位置し且つ第一金属端子〜第三金属端子が設置されたピンベースと、前記ピンベースの第一金属端子に接続される電源ピンと、前記ピンベースの第三金属端子に接続される接地ピンと、前記ピンベースの第二金属端子に接続されるスピンアップピンと、前記スピンアップピンを前記電源ピン又は前記接地ピンに選択的に接続する接続部と、を備え、前記スピンアップピンが受信する信号が低レベル信号である場合、前記コンピューターの起動時に前記ハードディスクドライブをスタートアップせず、前記スピンアップピンが受信する信号が高いレベル信号である場合、前記コンピューターの起動時に前記ハードディスクドライブをスタートアップする。
【０００５】
本発明に係るコンピューターは、ＳＡＴＡポートを有する複数のハードディスクドライブと、複数の前記ハードディスクドライブのスタートアップ順序及び間隔時間を予め設定したファームウェアを格納するＢＩＯＳチップと、複数の前記ＳＡＴＡコネクターと、を備え、前記ＳＡＴＡコネクターの数と前記ハードディスクドライブの数は同じであり、各々の前記ＳＡＴＡコネクターは対応する前記ＳＡＴＡポートに接続される。
【発明の効果】
【０００６】
本発明のコンピューターは、ジャンパーを介してＳＡＴＡコネクターのスピンアップピンをＳＡＴＡコネクターの電源ピン又は接地ピンに選択的に接続することにより、ハードディスクドライブを同時にスタートアップするか否かを制御する。
【図面の簡単な説明】
【０００７】
【図１】本発明の実施形態に係るコンピューターのブロック図である。
【図２】本発明の実施形態に係るコンピューターのＳＡＴＡコネクターの斜視図である。
【図３】本発明の実施形態に係るコンピューターのＳＡＴＡコネクターの応用図である。
【発明を実施するための形態】
【０００８】
以下、図面を参照して、本発明の実施形態について説明する。
【０００９】
図１を参照すると、本発明の実施形態に係るコンピューター１００は、複数のハードディスクドライブ８０と、複数のＳＡＴＡコネクター６０と、を備える。前記ハードディスクドライブ８０の数と前記ＳＡＴＡコネクター６０の数は同じであり、各々の前記ＳＡＴＡコネクター６０は、１つの前記ハードディスクドライブ８０に対応する。
【００１０】
前記ハードディスクドライブ８０は、前記ＳＡＴＡコネクター６０を接続するためのＳＡＴＡポート４０を備える。
【００１１】
前記ＳＡＴＡコネクター６０は、電源ピン１と、スピンアップピン１１と、接地ピン１２と、を備える。従来の技術においては、前記スピンアップピン１１は使用されない。前記スピンアップピン１１が使用されない場合（前記スピンアップピン１１の信号が高レベルである場合）、前記ハードディスクドライブ８０は、前記コンピューター１００のファームウェア（ｆｉｒｍｗａｒｅ）のスタッガードスピンアップ（ｓｔａｇｇｅｒｅｄ  ｓｐｉｎ−ｕｐ）機能の制御を受けず、即ち前記コンピューター１００の起動時に前記ハードディスクドライブ８０はスタートアップされる。前記スピンアップピン１１の信号が低レベルである時、前記コンピューター１００は、複数の前記ハードディスクドライブ８０のスタートアップ順序及び間隔時間を予め設定したファームウェアによって、複数の前記ハードディスクドライブ８０が同時にスタートアップされないように制御する。従来の技術のように、前記ファームウェアは、前記コンピューター１００のＢＩＯＳ（Ｂａｓｉｃ  Ｉｎｐｕｔ  Ｏｕｔｐｕｔ  Ｓｙｓｔｅｍ）チップに格納される。
【００１２】
図２を参照すると、前記ＳＡＴＡコネクター６０は、ピンベース５０をさらに備える。前記ピンベース５０は、前記ＳＡＴＡコネクター６０のハウジング６２の前面に設置される。前記ピンベース５０の前端面には、金属端子１〜３が設置され、前記金属端子１〜３は、前記ＳＡＴＡコネクター６０の電源ピン１と、スピンアップピン１１及び接地ピン１２にそれぞれに接続される。他の実施形態において、前記ピンベース５０は、前記ＳＡＴＡコネクター６０のハウジング６２の他の側面に設置されてもよく、前記金属端子１〜３も前記ピンベース５０の他の側面に設置されてもよい。
【００１３】
図３を参照すると、前記ハードディスクドライブがコンピューター１００の起動とともにスタートアップすることを必要としない場合、対応する前記ＳＡＴＡコネクター６０の金属端子２及び３は、ジャンパー６５を介して相互に接続され、即ち対応するスピンアップピン１１は、接地ピン１２へ接続される。前記スピンアップピン１１の信号は低レベルの信号である。これによって、前記ハードディスクドライブ８０は、前記コンピューター１００の起動から所定の時間経過後にスタートアップする。前記ハードディスクがコンピューター１００の起動とともにスタートアップすることを必要とする場合、対応する前記ＳＡＴＡコネクター６０の金属端子２及び１は、ジャンパー６５を介して相互に接続され、即ち対応するスピンアップピン１１は、電源ピン１に接続される。前記スピンアップピン１１の信号は高レベル信号である。これによって、前記ハードディスクドライブ８０は、前記コンピューター１００の起動とともにスタートアップする。他の実施形態において、前記ジャンパー６５は他の接続部であることができる。
【００１４】
前記コンピューター１００は、前記ジャンパー６５に介して前記スピンアップピン１１を前記電源ピン１又は前記接地ピン１２に選択的に接続することにより、前記ハードディスクドライブ８０を同時にスタートアップするか否かを制御する。
【００１５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲によって決まる。
【符号の説明】
【００１６】
４０  ＳＡＴＡポート
５０  ピンベース
６０  ＳＡＴＡコネクター
６２  ハウジング
６５  ジャンパー
８０  ハードディスクドライブ
１００  コンピューター
【図１】
2013045452.tif 000003
【図２】
2013045452.tif 000004
【図３】
2013045452.tif 000005